(57)【要約】【課題】空調装置から取り外されたロール状のエアフィルタを痛めることなく、短時間で、効果的に洗浄するロールフィルタ洗浄装置を提供する。【解決手段】ロールフィルタ洗浄装置は、ロール状に巻かれた使用済みのロールフィルタを洗浄するロールフィルタ洗浄装置において、引き出された上記使用済みのロールフィルタが所定の時間に亘って浸漬される洗浄剤が貯留されている洗浄剤浸透槽と、上記洗浄剤浸透槽から引き上げられたロールフィルタの少なくとも片面から高速の洗浄剤噴流を吹き付けて塵埃を洗浄剤と合わせて除去する洗浄剤スプレーと、が備えられる。【選択図】図１
2006110492.tif 000002
【特許請求の範囲】
【請求項１】
ロール状に巻かれた使用済みのロールフィルタを洗浄するロールフィルタ洗浄装置において、
引き出された上記使用済みのロールフィルタが所定の時間に亘って浸漬される洗浄剤が貯留されている洗浄剤浸透槽と、
上記洗浄剤浸透槽から引き上げられたロールフィルタの少なくとも片面から高速の洗浄剤噴流を吹き付けて塵埃を洗浄剤と合わせて除去する洗浄剤スプレーと、
が備えられることを特徴とするロールフィルタ洗浄装置。
【請求項２】
上記洗浄剤噴流が吹き付けられたロールフィルタに含まれる洗浄剤を水切りする洗浄剤水切り装置と、
上記洗浄剤を水切りされたロールフィルタが浸漬される水が貯留されているすすぎ槽と、
上記すすぎ槽から引き上げられたロールフィルタに含まれる水を水切りするすすぎ水切り装置と、
上記水を水切りされたロールフィルタを巻き取るロールフィルタ巻取り機と、
が備えられることを特徴とする請求項１に記載のロールフィルタ洗浄装置。
【請求項３】
上記洗浄剤水切り装置においてロールフィルタが搬送される速度が上記すすぎ水切り装置における搬送される速度より早く、上記すすぎ水切り装置において搬送される速度がロールフィルタ巻取り機において搬送される速度より早いことを特徴とする請求項２に記載のロールフィルタ洗浄装置。
【請求項４】
上記水が水切りされたロールフィルタに高速の空気噴流を吹き付ける空気噴射器が備えられることを特徴とする請求項２に記載のロールフィルタ洗浄装置。
【発明の詳細な説明】
【技術分野】
【０００１】
この発明は、取り外した空調装置用ロールフィルタを洗浄するロールフィルタ洗浄装置に関する。
【背景技術】
【０００２】
大型の空調装置は、ロール状の巻き取り可能なエアフィルタが空調装置本体のエア取り入れ口に設けられている。そして、このロール状のエアフィルタは、送り出し側ロールにあらかじめ巻き付けられ、ロール状のエアフィルタの先端がエア取り入れ口を横切って巻き取り側ロールに巻き付けられている。この巻き取り側ロールは巻き取りモータによって駆動され、ロール状のエアフィルタが順次送り出し側ロールから巻き取りロールに巻き取られ、常に最善のフィルタ作用が達成されている（例えば、特許文献１参照）。
【０００３】
【特許文献１】特開平１０−１９３６６公報
【発明の開示】
【発明が解決しようとする課題】
【０００４】
しかし、ロール状のエアフィルタは、空調装置から取り外されて手作業で洗浄されるが、エアフィルタが長尺で、かつ処理面積が広いので、手作業による洗浄が難しかったり、汚れが落ちづらかったり、洗浄中にエアフィルタを痛めたりするなどの問題がある。
【０００５】
この発明の目的は、空調装置から取り外されたロール状のエアフィルタを痛めることなく、短時間で、効果的に洗浄するロールフィルタ洗浄装置を提供することである。
【課題を解決するための手段】
【０００６】
この発明に係わるロールフィルタ洗浄装置は、ロール状に巻かれた使用済みのロールフィルタを洗浄するロールフィルタ洗浄装置において、引き出された上記使用済みのロールフィルタが所定の時間に亘って浸漬される洗浄剤が貯留されている洗浄剤浸透槽と、上記洗浄剤浸透槽から引き上げられたロールフィルタの少なくとも片面から高速の洗浄剤噴流を吹き付けて塵埃を洗浄剤と合わせて除去する洗浄剤スプレーと、が備えられる。
【発明の効果】
【０００７】
この発明に係わるロールフィルタ洗浄装置の効果は、引き出されたロールフィルタが順次洗浄剤浸透槽に所定の間浸漬され、洗浄剤がその間にロールフィルタ全体に亘って浸透していくので、ロールフィルタの表面だけでなく内側に捕集されている塵埃をロールフィルタから浮かび上がらせて取り除くことができる。このときロールフィルタには局所的に外力が加わらないので、ロールフィルタが傷められることがない。
【発明を実施するための最良の形態】
【０００８】
実施の形態
図１は、この発明に係わる実施の形態のロールフィルタ洗浄装置の構成図である。
最初に、ロールフィルタ洗浄装置を構成する各要素について図１を参照して説明する。
なお、ロールフィルタ３は、不織布から作製されており、その空孔内に空気中の塵埃が捕集される。ロールフィルタ３の幅は１ｍ、厚み１ｃｍ位、長さ１５ｍ〜２０ｍである。但し、この幅、厚み、長さはこの発明の適用を限定するものではなく、この発明をより理解しやすくするために例示したものである。
【０００９】
洗浄前ロールフィルタ送り出し機１は、床の上に置かれた台２、台２から縦立した洗浄対象のロールフィルタ３の幅より少し大きめに離れた２本の柱４から構成されている。そして、柱４の先端部に洗浄対象のロールフィルタ３が巻かれている心棒５の両端部を回転自在にロールフィルタ３が水平に位置するように支持する軸受部６が設けられている。
洗浄剤浸透槽８は、床の上に置かれる有底の１．５ｍ角の立方体の槽であり、アルカリ性洗浄剤を貯液することができる。そして、底には超音波振動子９が投入されており、超音波振動子９を振動することにより、ロールフィルタ３の表面および内部でキャビテーションが起こり、塵埃をロールフィルタ３から浮き上がらせることができる。
【００１０】
洗浄部１１は、ロールフィルタ３の両面にそれぞれ洗浄剤を高速にして噴霧する２個の洗浄剤スプレー１２、１３、洗浄剤が噴霧されたのちすすぎリンスを噴霧するリンススプレー１４、狭い隙間を介して対向する２本の水切りローラ１５と一方の水切りローラ１５を回転するモータ１６とからなる洗浄剤水切り装置１７、洗浄剤スプレー１２、１３、リンススプレー１４および洗浄剤水切り装置１７から流される洗浄剤およびリンスを受けて回収し、洗浄剤浸透槽８に戻す仕切板１８から構成されている。仕切板１８は、上に凸の山形の板である。
このように仕切板１８を設けることにより洗浄剤やリンスが受けられるので、それらが飛散することを防ぐことができる。
【００１１】
すすぎ槽２０は、床の上に置かれる有底の１．５ｍ角の立方体の槽であり、水が貯液される。そして、底には超音波振動子９が投入されており、超音波振動子９を振動することにより、ロールフィルタ３の表面および内部でキャビテーションが起こり、残された塵埃や洗浄剤が水の中に攪拌される。
殺菌剤スプレー２１は、すすぎ槽２０から引き上げられたロールフィルタ３に殺菌剤を噴霧するスプレーである。
すすぎ水切り装置２３は、狭い隙間を介して対向する２本の水切りローラ１５と一方の水切りローラ１５を回転するモータ２４とからなり、すすぎが行われ、殺菌剤が噴霧されたロールフィルタ３に含まれる水を絞る。
エア噴射器２６は、高速の空気を噴射して、ロールフィルタ３に残っている水分を吹き飛ばして、１段目の乾燥を行う。
洗浄済ロールフィルタ巻取り機２８は、洗浄済ロールフィルタを巻き取っていく巻取り心棒２９の両端部を洗浄済ロールフィルタが水平になるように支持する台３０の上に縦立する２本の柱３１と巻取り心棒２９を回転する第３のモータ３２とから構成されている。
制御装置３４は、後述するように、第１のモータ１６、第２のモータ２４、第３のモータ３２の回転速度を制御してロールフィルタ３の移動速度を調整する。
【００１２】
そして、ロールフィルタ洗浄装置では、洗浄前ロールフィルタ送り出し機１、洗浄剤浸透槽８、すすぎ槽２０、洗浄済ロールフィルタ巻取り機２８がこの順番で床の上に直線上に並べられている。そして、洗浄剤浸透槽８とすすぎ槽２０とが隣り合わされて配置されている。
また、洗浄剤浸透槽８とすすぎ槽２０とが隣あったところの上方に仕切板１８が配置されている。
そして、洗浄剤浸透槽８の上方で仕切板１８の近傍に洗浄部１１が配設されている。洗浄部１１では、洗浄剤浸透槽８の上開口に最も近い高さのところに洗浄剤スプレー１２、１３が２個配設され、その斜め上方にリンススプレー１４が配設され、その斜め上方に洗浄剤水切り装置１７が配設されている。
【００１３】
また、すすぎ槽２０の上開口に近いところに殺菌剤スプレー２１が配設され、その斜め上方にすすぎ水切り装置２３が配設されている。
さらに、すすぎ槽２０と洗浄済ロールフィルタ巻取り機２８との間にエア噴射器２６が配設されている。
【００１４】
ロールフィルタ洗浄装置は、このようにして各要素が配設されているが、さらに、洗浄対象のロールフィルタ３を案内するためにローラ３６が各所に配設されている。洗浄前ロールフィルタ送り出し機１から送り出されたロールフィルタ３を洗浄剤浸透槽８に案内するローラ３６ａ、ロールフィルタ３を洗浄剤浸透槽８内に所定の間浸漬できるように所定の深さに案内するローラ３６ｂ、仕切板１８とロールフィルタ３とを所定の隙間で離間するローラ３６ｃ、エア噴射器２６からの空気噴射によるロールフィルタ３の揺れを押さえるローラ３６ｄ、３６ｅが配設されている。しかし、ローラ３６の配設はこれに限るものではなく、適切な位置に配設すればよい。
【００１５】
次に、ロールフィルタ洗浄装置を用いて行うロールフィルタ３の洗浄の手順について説明する。
洗浄前のロールフィルタ３を事前に心棒５に巻き取られた形で空調装置から取り外しておく。そして、洗浄前ロールフィルタ送り出し機１の軸受部６にその心棒５を載せて洗浄前のロールフィルタ３をセットする。
また、洗浄剤浸透槽８にアルカリ性洗浄剤を、すすぎ槽２０に水を所定の深さになるまで注液する。
【００１６】
次に、洗浄前のロールフィルタ３の送り出しの先端にロールフィルタ３とほぼ同じ幅の厚み０．１ｍｍの銅箔の一端を接着する。そして銅箔の他端を洗浄と同じ所定の経路を通過させて、洗浄済のロールフィルタ用の心棒２９に巻き付ける。
次に、第３のモータ３２を回転させて最初のうち銅箔を巻取り、その後洗浄対象のロールフィルタ３を巻き取る。
【００１７】
洗浄対象のロールフィルタ３は、最初洗浄剤中に浸漬されて、全体に亘って洗浄剤がロールフィルタ３内に浸透し、その洗浄剤が捕集されている塵埃をロールフィルタ３から浮き上げる。このとき、超音波を照射することにより、より塵埃を浮かび上がらせることができる。
このようにロールフィルタ３を洗浄剤浸透槽８に所定の間浸漬することにより、洗浄剤がその間にロールフィルタ３全体に亘って浸透していくので、ロールフィルタ３の表面だけでなく内側に捕集されている塵埃をロールフィルタ３から浮かび上がらせて取り除くことができる。
また、超音波をロールフィルタ３に照射することにより、塵埃とロールフィルタ３との間に洗浄剤が浸透しやすくなるので、さらに塵埃をロールフィルタ３から浮かび上がらせて取り除くことを容易にすることができる。
【００１８】
次に、ロールフィルタ３を洗浄剤浸透槽８から引き上げ、洗浄剤が全体に亘って浸透されたロールフィルタの一方の面から高速の洗浄剤噴流を吹き付けることにより、浮き上がった塵埃が他の面の方向に吹き飛ばされ、他の面に沿って洗浄剤とともに下方に流れ落ちてゆく。
次に、他の面から高速の洗浄剤噴流を吹き付けて、塵埃を含んだ洗浄剤が仕切板１８まで吹き飛ばされる。
このようにロールフィルタ３に洗浄剤を高速の噴流にして吹き付けるので、噴流がロールフィルタ３の厚み方向に通過しながら塵埃を運びだし、ロールフィルタ３の内側に捕集された塵埃も取り除くことができる。
また、両側から洗浄剤の高速の噴流を吹き付けるので、表裏の塵埃の取り除き具合に差が見られない。
【００１９】
次に、リンス液を吹き付けてアルカリ洗剤を洗い落とす。このように洗浄剤の吹きつけのあとロールフィルタ３に酸性リンスを吹き付けることにより、洗浄剤に含まれているアルカリや金属石けんを除去することができる。
【００２０】
次に、洗浄剤水切り装置１７の２本の水切りローラ１５に挟まれながらロールフィルタ３が送られていくので、ロールフィルタ３に含まれる洗浄剤が絞られる。この絞られた洗浄剤は仕切板１８に沿って洗浄剤浸透槽８に戻っていく。
次に、すすぎ槽２０に所定の時間浸漬され、すすぎ槽２０の底から上方に向けて超音波が照射されることにより、水がロールフィルタ３の全体に亘って浸透し、残った塵埃が水に浮遊される。
このようにロールフィルタ３がすすぎ槽２０に所望の間浸漬されるので、全体に亘って水が浸透し、残っている塵埃、アルカリ、金属石けんなどをロールフィルタ３から引き離すので、空気透過率を新品に近い状態に回復させることができる。
【００２１】
次に、すすぎ槽２０から引き上げられたロールフィルタ３に殺菌剤が噴霧される。
次に、すすぎ水切り装置２３の２本の水切りローラ１５の間で水が絞られる。
最後に、エア噴射器２６から噴射される空気によりロールフィルタ３内の水分がさらに吹き飛ばされて半乾きの状態になる。
このようにエア噴射器２６によりすすぎ水切り装置２３で絞った後に残っているかなりの割合の水分が吹き飛ばされ、軽くなるので、巻き取られた洗浄済ロールフィルタ３を別に用意した図示しない乾燥炉に容易に運ぶことができる。
【００２２】
そして、洗浄済ロールフィルタ巻取り機２８で洗浄済ロールフィルタとして巻き取られる。
その後、この洗浄済ロールフィルタを乾燥炉で完全に乾燥する。
【００２３】
次に、洗浄剤水切り装置１７、ゆすぎ水切り装置２３および洗浄済ロールフィルタ巻取り機２８におけるロールフィルタ３の送り速度について説明する。
ロールフィルタ３は不織布であるので、引っ張られると空孔が少なくなるとともに破れたりするので、引っ張り力が加わらないようにロールフィルタ３の移動速度を制御している。また、洗浄剤および水の中に浸漬されているロールフィルタ３をできるだけ弛んだ状態に維持することが必要である。弛んだ状態にしておくと、洗浄剤および水がロールフィルタ３の内側まで浸透して、塵埃を取り除くことができる。
【００２４】
そこで、洗浄済ロールフィルタ巻取り機２８に巻き取られる速度を一番遅くし、次に、すすぎ水切り装置での送り速度を巻取り速度より少し早くし、洗浄剤水切り装置での送り速度を一番早くしている。なお、巻取り速度は、第３のモータ３２の回転速度を一定にすると、ロールフィルタ３の直径が巻取りに従って大きくなるので、次第に早くなっていく。そこで、制御装置３４は、第３のモータ３２の回転速度を次第に遅くして、巻取り速度が一定になるように制御している。なお、巻取り最後のロールフィルタ３の移動速度が、第２のモータ２４の速度以上にはならないように始めの速度を遅くしておいてもよい。
このようにロールフィルタ３に大きな引っ張り力が加わらないので、ロールフィルタ３を傷めることがない。
【００２５】
また、このようにロールフィルタ３の移動速度を制御すると、すすぎ槽２０の中にロールフィルタ３が長く滞留し、すすぎがより完璧に行われる。
【００２６】
このようなロールフィルタ洗浄装置は、引き出されたロールフィルタを順次洗浄剤浸透槽８に所定の間浸漬され、洗浄剤がその間にロールフィルタ３全体に亘って浸透していくので、ロールフィルタ３の表面だけでなく内側に捕集されている塵埃をロールフィルタ３から浮かび上がらせて取り除くことができる。このときロールフィルタ３には局所的に外力が加わらないので、ロールフィルタ３が傷むことがない。
【００２７】
なお、ロールフィルタ３の両面から洗浄剤を高速の噴流として吹き付けているが、片面からのみ洗浄剤を吹き付けて浮き上がらせた塵埃を洗浄剤と一緒に吹き飛ばしてもよい。
また、洗浄剤浸透槽８とすすぎ槽２０とを別々に用意して連続的に洗浄剤の浸透とすすぎとを行っているが、１つの槽にそれぞれ洗浄剤と水を注液して処理を行ってもよい。
【図面の簡単な説明】
【００２８】
【図１】この発明に係わる実施の形態のロールフィルタ洗浄装置の構成図である。
【符号の説明】
【００２９】
１  洗浄前ロールフィルタ送り出し機、２、３０  台、３  ロールフィルタ、４、３１  柱、５  心棒、６  軸受部、８  洗浄剤浸透槽、９  超音波振動子、１１  洗浄部、１２、１３  洗浄剤スプレー、１４  リンススプレー、１５  水切りローラ、１６、２４、３２  モータ、１７  洗浄剤水切り装置、１８  仕切板、２０  すすぎ槽、２１  殺菌剤スプレー、２３  すすぎ水切り装置、２６  エア噴射器、２８  洗浄済ロールフィルタ巻取り機、２９  心棒、３４  制御装置、３６、３６ａ、３６ｂ、３６ｃ、３６ｄ  ローラ。
【図１】
2006110492.tif 000003